(57)【要約】      （修正有）【課題】家具の一部に傷が付けられたときに補修作業が容易であり家具全体を更新する必要がなく、重量が軽く加工および運搬のコストが低くリサイクルが容易であり、作製の過程中に汚染が発生しない物置棚を提供する。【解決手段】内部にチェンバーが設けられ、その両端に連接口が設けられ、その外縁に溝２３が設けられたチューブ２と、溝２３に固定される複数のプレート３と、複数の連接部が設けられ、連接部によりチューブ２の連接口に固定される複数の継手ユニット４とを備える物置棚において、複数のチューブ２と複数のプレート３とは、紙製品である。【選択図】図１
0003158256.tif 000002
【実用新案登録請求の範囲】
【請求項１】
内部にチェンバーが設けられ、その両端に連接口が設けられ、その外縁に溝が設けられたチューブと、
前記チューブの前記溝に固定される複数のプレートと、
複数の連接部が設けられ、前記連接部により前記チューブの前記連接口に固定される複数の継手ユニットと、
を備える物置棚において、
前記複数のチューブと前記複数のプレートとは、紙製品であることを特徴とする物置棚。
【請求項２】
前記溝は、それぞれ前記チューブの隣接する二つの内側面に設けられることを特徴とする、請求項１に記載の物置棚。
【請求項３】
前記溝は、それぞれ前記チューブの何れかの側面に設けられることを特徴とする、請求項１に記載の物置棚。
【請求項４】
前記継手ユニットは、緩衝パッドが設けられることを特徴とする、請求項１に記載の物置棚。
【請求項５】
前記継手ユニットは、三方継手と、四方継手と、を含み、前記三方継手には、互いに垂直する三つの連接部が設けられ、前記連接部が前記チューブの前記連接口に対応し、前記四方継手には、互いに垂直する四つの連接部が設けられ、前記連接部が前記チューブの前記連接口に対応することを特徴とする、請求項１に記載の物置棚。
【請求項６】
前記プレートの一面には、凹部が設けられることを特徴とする、請求項１に記載の物置棚。
【請求項７】
前記チューブと前記プレートとは各々、アングル紙、クラフト紙、サンドチューブ紙、又はクラフト紙とサンドチューブ紙を圧合して構成されるものであることを特徴とする、請求項１に記載の物置棚。
【考案の詳細な説明】
【技術分野】
【０００１】
本考案は、物置棚に関し、特に、紙製の部材が使用され、ユーザは自分で組立て可能な物置棚に関するものである。
【背景技術】
【０００２】
環境保全の意識が強くなっている現在では、地球環境に優しい製品を使用することがブームになっている。
従来の物置棚は、組立、分解及び収納を便利にするために、木材、鉄鋼及び樹脂が採用され、強固性および耐用性の向上に力が入れられる。
【０００３】
しかしながら、物置棚の材料に木材、鉄鋼又は樹脂を採用する場合を考えると、木材は自然な材料であるが成長速度が遅く、製品の一部とされた場合に傷が付けられると補修作業が容易ではなく製品全体を更新することが必要であるため、木材が浪費される。また、鉄鋼は重量が重く加工および運搬のコストが高くリサイクルが容易ではない。また、樹脂は成形し易いが作製の過程中に汚染が発生し廃棄されると自然に分解できず、且つ廃棄された樹脂を燃焼処理すると空気および水資源が深刻に汚染される、という諸問題があった。
【考案の概要】
【考案が解決しようとする課題】
【０００４】
本考案は、上記の諸問題を解決するためになされたものであって、その目的は、家具の一部に傷が付けられたときに補修作業が容易であり家具全体を更新する必要がなく、重量が軽く加工および運搬のコストが低くリサイクルが容易であり、作製の過程中に汚染が発生しない、物置棚を提供することにある。
【課題を解決するための手段】
【０００５】
本考案の物置棚は、内部にチェンバーが設けられ、その両端に連接口が設けられ、その外縁に溝が設けられたチューブと、前記チューブの前記溝に固定される複数のプレートと、複数の連接部が設けられ、前記連接部により前記チューブの前記連接口に固定される複数の継手ユニットと、を備える物置棚において、
前記複数のチューブと前記複数のプレートとは、紙製品であることを特徴とする。
【０００６】
本考案の物置棚によると好ましくは、前記溝は、それぞれ前記チューブの隣接する二つの内側面に設けられることを特徴とする。
【０００７】
本考案の物置棚によると好ましくは、前記溝は、それぞれ前記チューブの何れかの側面に設けられることを特徴とする。
【０００８】
本考案の物置棚によると、前記継手ユニットは、必要に応じて緩衝パッドを設けてもよい。
【０００９】
本考案の物置棚によると好ましくは、前記継手ユニットは、三方継手と、四方継手と、を含み、前記三方継手には、互いに垂直する三つの連接部が設けられ、前記連接部が前記チューブの前記連接口に対応し、前記四方継手には、互いに垂直する四つの連接部が設けられ、前記連接部が前記チューブの前記連接口に対応することを特徴とする。
【００１０】
本考案の物置棚によると好ましくは、前記プレートの一面には、凹部が設けられることを特徴とする。
【００１１】
本考案の物置棚によると好ましくは、前記チューブと前記プレートとは各々、アングル紙、クラフト紙、サンドチューブ紙、又はクラフト紙とサンドチューブ紙を圧合して構成されるものであることを特徴とする。
【考案の効果】
【００１２】
本考案の物置棚によれば、次のような効果がある。
（１）紙製品であるため、リサイクルが容易であり、作製の過程中に汚染が発生せず、廃棄されても、自然に分解でき、且つ燃焼で処理しても、空気および水源を汚染しない。
【００１３】
（２）加工が容易であるため、加工コストは低い。
【００１４】
（３）重量が軽いため、運搬のコストは低く、運搬作業が楽になる。
【００１５】
（４）組立の方式が多様であり、外見の変化性は多い。
【図面の簡単な説明】
【００１６】
【図１】本考案の第１実施例の物置棚の組立済み状態の斜視図である。
【図２】本考案の第１実施例の物置棚の組立方法を示す斜視図である。
【図３】本考案の第１実施例のチューブの斜視図である。
【図４】本考案の第１実施例の三方継手の斜視図である。
【図５】本考案の第１実施例の四方継手の斜視図である。
【図６】本考案の第１実施例のプレートの斜視図である。
【図７】本考案の第２実施例の物置棚の組立済み状態の斜視図である。
【図８】本考案の第２実施例のチューブの斜視図である。
【図９】本考案の第２実施例の三方継手の斜視図である。
【図１０】本考案の第２実施例の四方継手の斜視図である。
【考案を実施するための形態】
【００１７】
以下、本考案の実施の形態を図面に基づいて説明する。
（第１実施例）
まず、図１乃至図３を参照すると、本考案の第１実施例の物置棚１は、複数のチューブ２と、複数のプレート３と、複数の継手ユニット４と、を含む。
【００１８】
チューブ２は、アングル紙（ａｎｇｌｅ＿ｐａｐｅｒ、コーナー保護紙とも言う）、クラフト紙、サンドチューブ紙（ｓａｎｄ＿ｔｕｂｅ＿ｐａｐｅｒ、砂管紙、プラスチックモルタル管紙とも言う）、又はクラフト紙とサンドチューブ紙を圧合して構成されるものであり、チェンバー２１が設けられ、その両端に連接口２２が設けられ、その外縁には、一つまたは複数の溝２３が設けられる。
【００１９】
プレート３は、アングル紙、クラフト紙、サンドチューブ紙、又はクラフト紙とサンドチューブ紙を圧合して構成されるものであり、その一面には、支持力を強化するための凹部３１が設けられ、プレート３がチューブ２の溝２３に固定される。
【００２０】
図２、図４及び図５を参照すると、継手ユニット４は、三方継手４ａと、四方継手４ｂと、を含む。三方継手４ａには、互いに垂直な三つの連接部４１ａが設けられ、三方継手４ａは物置棚１の上部と底部とに設けられる。四方継手４ｂには、互いに垂直な四つの連接部４１ｂが設けられ、四方継手４ｂは物置棚１の中段に設けられる。
図１及び図６を参照すると、複数のチューブ２に複数の三方継手４ａと複数の四方継手４ｂとを嵌合して、チューブ２の溝２３にプレート３を固定すると、本考案の物置棚１が完成される。
【００２１】
湿気防止、衝突防止及び滑り止めのために、本考案の物置棚１の底部に設けられる三方継手４ａには、緩衝パッド５を設けてもよい。
【００２２】
チューブ２とプレート３とは、クラフト、プラスチックモルタル管紙、又はクラフトとプラスチックモルタル管紙を圧合して構成されるものであり、見栄えを向上するために、その外面に、顔料を付け、又は模様を有するシートを貼り付けることができる。
【００２３】
また、図１及び図２に示すように、複数のチューブ２に複数の三方継手４ａと複数の四方継手４ｂとを嵌合して、チューブ２の溝２３にプレート３を固定すると、本考案の物置棚１が完成される。
【００２４】
湿気防止、衝突防止及び滑り止めのために、本考案の物置棚１の底部や側辺に設けられる三方継手４ａと四方継手４ｂとには、緩衝パッド５を設けてもよい。
【００２５】
チューブ２とプレート３とは、クラフト、プラスチックモルタル管紙、又はクラフトとプラスチックモルタル管紙を圧合して構成されるものであり、見栄えを向上するために、その外面に、顔料を付け、又は模様を有するシートを貼り付けることができる。
【００２６】
（第２実施例）
図７及び図８を参照すると、本考案の第２実施例の物置棚１ａは、複数のチューブ６と、複数の継手ユニット７と、複数のプレート３と、を含み、チューブ６の何れかの側面には、溝６１が設けられる。継手ユニット７は、図７、図９及び図１０に示すように、チューブ６の両端に設けられ、三方継手７ａと、四方継手７ｂと、を含む。三方継手７ａには、互いに垂直する三つの連接部７１ａが設けられ、図９に示すように、三方継手７ａは物置棚１ａの上部と底部とに設けられる。四方継手７ｂには、互いに垂直する四つの連接部７１ｂが設けられ、図１０に示すように、四方継手７ｂは物置棚１ａの中段に設けられる。プレート３は、複数のチューブ６と継手ユニット７とに水平に嵌合される。図７に示すように、複数のチューブ６に複数の三方継手７ａと複数の四方継手７ｂとを嵌合して、チューブ６の溝６１にプレート３を固定すると、本考案の物置棚１ａが完成される。
【産業上の利用可能性】
【００２７】
本考案は、色々な種類の物置棚に適用することができる。
【符号の説明】
【００２８】
１、１ａ    物置棚
２、６      チューブ
３      プレート
４      継手ユニット
４ａ    三方継手
４ｂ    四方継手
５      緩衝パッド
７      継手ユニット
７ａ    三方継手
７ｂ    四方継手
２１      チェンバー
２２      連接口
２３      溝
３１      凹部
４１ａ、４１ｂ    連接部
６１      溝
７１ａ、７１ｂ    連接部
【図１】
0003158256.tif 000003
【図２】
0003158256.tif 000004
【図３】
0003158256.tif 000005
【図４】
0003158256.tif 000006
【図５】
0003158256.tif 000007
【図６】
0003158256.tif 000008
【図７】
0003158256.tif 000009
【図８】
0003158256.tif 000010
【図９】
0003158256.tif 000011
【図１０】
0003158256.tif 000012